(57)【特許請求の範囲】
【請求項１】
使用者の身体に装着される携帯機器に電源を供給するバッテリーを含むコントロールユニットを収納する収納ケースであって、
前記コントロールユニットが収納されたとき、少なくとも当該コントロールユニットに設けられるスイッチ操作部と重なる部分を透明または半透明の可撓性の素材により構成されるケース本体と、
前記コントロールユニットから前記携帯機器へ電力を供給するケーブルを引き出すよう前記ケース本体に形成される第１開口と、
前記バッテリーを充電する充電コードを前記コントロールユニットから引き出すよう前記ケース本体に形成される第２開口と、
前記ケース本体に取り付けられて前記ケース本体が使用者の身体と接するように固定する肩紐と、
を備えたことを特徴とするコントロールユニット収納ケース。
【請求項２】
前記肩紐は一対で構成されて、前記ケース本体の両側にそれぞれ取り付けられることを特徴とする請求項１に記載のコントロールユニット収納ケース。
【請求項３】
一対の前記肩紐は、それぞれが前記ケース本体の上部の左右一方の端部から前記ケース本体の下部の他方の端部に斜めに取り付けられることを特徴とする請求項２に記載のコントロールユニット収納ケース。
【請求項４】
前記肩紐は一本で構成されて、前記ケース本体の上部の左右一方の端部から前記ケース本体の下部の他方の端部に斜めに取り付けられることを特徴とする請求項１に記載のコントロールユニット収納ケース。
【請求項５】
前記ケース本体には、使用者の身体に巻き付けるベルト紐をさらに設けたことを特徴とする請求項１に記載のコントロールユニット収納ケース。
【請求項６】
前記ケース本体を軟質性プラスティック製のバッグで構成することを特徴とする請求項１に記載のコントロールユニット収納ケース。
【請求項７】
前記肩紐は一対の環状の紐で構成されて、一方の前記肩紐が他方の前記肩紐の環に通すことでクロスに重ねたとき、２箇所の交差部分の一方で前記ケース本体に接合することを特徴にした請求項１に記載のコントロールユニット収納ケース。
【請求項８】
前記携帯機器は、使用者が頭部に被るヘルメットやヘッドバンド、又は眼鏡フレームに装着されるＬＥＤライトであって、
前記コントロールユニットは、前記スイッチ操作部への操作に応じて、前記ＬＥＤライトへの電力供給の制御を行なうことを特徴とする請求項１に記載のコントロールユニット収納ケース。
【請求項９】
前記携帯機器は、身体に装着されるカメラであって、
前記コントロールユニットは、無線ＬＡＮによってリモート撮影や画像転送を行うことを特徴とする請求項１に記載のコントロールユニット収納ケース。
【発明の詳細な説明】
【技術分野】
【０００１】
本発明は、身体に装着して使用される携帯機器に電源を供給するコントロールユニットの収納ケースに関する。
【背景技術】
【０００２】
携帯機器を使用者の身体に装着してリモートでこの機器の動作を制御するシステムが種々の分野で実用に供されている。
【０００３】
例えば、医療や精密加工の分野、又は工事分野などにおいては、作業者が両手を自由に使えて且つ視線の方向に正確にスポット照明できるようにした携帯用の照明機器が知られている。このような照明機器では、給電用のバッテリーを内蔵することでモバイル性を高めているが、その場合、照明部本体と、バッテリーと、操作スイッチを含む照明制御部とが一体となるため装置が大型化してしまい、これを頭部で支えると首への負担が大きく作業能率が悪いものとなる。特に、長時間の作業に用いるには大容量のバッテリーを内蔵しなければならず、作業者にとっての負担が大きい。
【０００４】
そのため、照明機器を照明部とバッテリー部とに分離して、照明部を作業者の頭部に装着し、バッテリー部を作業者の腰部等に装着するようにした照明機器が知られている（特許文献１を参照）。
【０００５】
そして、バッテリー部を腰部等の身体に装着する方法としては、腰部に券回するベルトによってバッテリーを保持する構成の医療用光源装置が知られている（特許文献２を参照）。
【先行技術文献】
【特許文献】
【０００６】
【特許文献１】特開２０１４−１００２０３号公報
【特許文献２】実用新案登録第３１６５６６３号公報
【発明の概要】
【発明が解決しようとする課題】
【０００７】
しかしながら、特許文献１の照明機器によれば、照明動作を制御する制御装置は照明部と共に作業者の頭部に装着されているために、照明のオン・オフや照度の調節のためのスイッチ操作を行なおうとすれば、頭部に手を伸ばさなければならず操作しづらい欠点がある。そのため、作業補助者に操作して貰うようにすると、作業を行っている場合には、他者に頭部を触れられることでの作業への集中が途切れて作業効率の低下につながる。特に、医療手術のような精密作業においては、作業ミスにもつながりかねない。
【０００８】
また、特許文献２の照明装置によれば、照明制御装置であるコントロールユニットをバッテリー部と共にベルトで保持してリモート制御としているために操作が容易となる。しかしながら、このようなバッテリー保持ベルトは、コントロールユニットとバッテリーとを保持して、コントロールユニットとバッテリーの端子とを電気的に接続する複雑な構造を有するためにコストアップとなる。
【０００９】
本発明は、上記点に鑑みてなされたもので、バッテリーを備えたコントロールユニットを、ベルトのような特別な保持部材を用いずとも、簡単に作業者に装着することができるコントロールユニット収納ケースを提供することを目的としている。
【課題を解決するための手段】
【００１０】
上記課題を解決するために、本発明に係るコントロールユニット収納ケースは、使用者の身体に装着される携帯機器に電源を供給するバッテリーを含むコントロールユニットを収納する収納ケースであって、前記コントロールユニットが収納されたとき少なくとも当該コントロールユニットに設けられるスイッチ操作部と重なる部分を透明または半透明の可撓性の素材により構成されたケース本体と、前記コントロールユニットから前記携帯機器へ電力を供給するケーブルを引き出すよう前記ケース本体に形成される第１開口と、前記バッテリーを充電する充電コードを前記コントロールユニットから引き出すよう前記ケース本体に形成される第２開口と、前記ケース本体に取り付けられて前記ケース本体が使用者の身体と接するように固定する肩紐とを備える。
【００１１】
このとき、前記肩紐は一対で構成されて、前記ケース本体の両側にそれぞれ取り付けられる。そして、一対の前記肩紐は、それぞれが前記ケース本体の上部の左右一方の端部から前記ケース本体の下部の他方の端部に斜めに取り付けてもよい。また、前記肩紐は一本で構成されて、前記ケース本体の上部の左右一方の端部から前記ケース本体の下部の他方の端部に斜めに取り付けてもよい。さらに、前記ケース本体には、使用者の身体に巻き付けるベルト紐を設けてもよい。
【００１２】
そして、前記ケース本体を軟質性プラスティック製のバッグで構成すれば、軽量且つ安価な収納ケースとなる。しかも、軟質性プラスティックは可撓性に優れて変形性が良く、ケース本体の上からのスイッチ操作も簡単に行える。
【００１３】
また、前記肩紐は一対の環状の紐で構成し、一方の前記肩紐が他方の前記肩紐の環に通すことでクロスに重ねたとき、２箇所の交差部分の一方で前記ケース本体と接合すれば、肩紐のケース本体への取付工程が簡略化される。
【００１４】
また、前記携帯機器は、使用者が頭部に被るヘルメットやヘッドバンド、又は眼鏡フレームに装着されるＬＥＤライトであって、前記コントロールユニットは、前記スイッチ操作部への操作に応じて、前記ＬＥＤライトへの電力供給の制御を行なう。よって、頭部や顔に装着するのはＬＥＤライトだけのため、使用者に負担が掛らない。
【００１５】
また、前記携帯機器は、身体に装着されるカメラであって、前記コントロールユニットは、無線ＬＡＮによってリモート撮影や画像転送を行う。これにより、カメラ操作を使用者の背中で行うことができ、コントロールユニットは、送られてきた画像を管理側のパーソナルコンピュータに送信することで、カメラを管理側のパーソナルコンピュータに繋がず、使用者の背中が画像の中継ポイントとなる。
【発明の効果】
【００１６】
本発明によるコントロールユニット収納ケースは、携帯機器にバッテリー電源を供給するケーブルを引き出すための第１開口と、バッテリーを充電する充電コードを引き込むための第２開口とを備えることで、肩紐で使用者の身体に固定したままで携帯機器を使用しての作業を行うことができる。そして、ケース本体は、収納するコントロールユニットが備えているスイッチ操作部に対向している部分が透明または半透明の可撓性の素材により構成されているためにコントロールユニットを使用者が着用した状態でスイッチ操作を行うことができ、操作のために携帯機器を使用した作業を中断する必要がない。
【図面の簡単な説明】
【００１７】
【図１】本発明に係るコントロールユニット収納ケースにコントロールユニットを収納した状態を外観斜視図で示す。
【図２】ＬＥＤライトとＬＥＤライトに電力を供給するコントロールユニットの外観を斜視図で示す。
【図３】コントロールユニット収納ケースの背面を外観斜視図で示す。
【図４】コントロールユニットを収納しているコントロールユニット収納ケースを携帯機器の使用者に装着した状態の説明図を示す。
【図５】コントロールユニット収納ケースのケース本体を軟質性プラスティック製のバッグで構成した例の説明図を示す。
【図６】コントロールユニット収納ケースのケース本体を軟質性プラスティック製のバッグで構成した別の例の説明図を示す。
【図７】カメラとカメラに電力を供給するコントロールユニットを収納ケースに収納したときのシステム構成を説明する図を示す。
【発明を実施するための形態】
【００１８】
以下、本発明の実施の形態について、図面を参照しながら説明する。
【００１９】
図１は、本発明に係るコントロールユニット収納ケース１（以下、単に「収納ケース」という）の外観を斜視図で示しており、収納ケース１には図２で示すコントロールユニット２が収納されている。
【００２０】
本例でのコントロールユニット２は、使用者の身体に装着される照明機器に電源を供給する。このようなコントロールユニット２は、筐体１０の中にバッテリーを備え、筐体１０の表面に配置している電源スイッチＳ１や光量増減スイッチＳ２の操作に応じて、ケーブル１１を通して照明機器へ電力を供給する。すなわち、電源スイッチＳ１が押圧操作される度に照明機器のオン・オフを制御すると共に、光量増減スイッチＳ２が操作される度に照明機器の照度を大・中・小の３通りのモードに順次繰り返して切り換える制御を行なう。このとき、コントロールユニット２は、光量増減スイッチＳ２の操作により切り換えた照度を３個のインジケータＩ１、Ｉ２、Ｉ３の何れかの点灯で表示する。また、コントロールユニット２は充電ケーブル１２を備えて、その先端に装着されている充電プラグ１４をＡＣ電源１７に接続されているＡＣアダプタ（充電器）１６に差し込むことでバッテリーへの充電が行われる。
【００２１】
使用者の身体に着用される照明機器としては、医療手術時に術者が掛ける眼鏡フレームに取り付けられるＬＥＤライトがある。図２に示すように、ＬＥＤライト５は眼鏡フレーム３のブリッジ４に取り付けられて、眼鏡フレーム３のリム５には、ケーブル１１の先端に装着されているプラグ６が差し込まれるコネクタ７が設けられて、リム５の上辺の内部には、コネクタ７とＬＥＤライト５との間の配線を通す空間が形成されている。そして、眼鏡フレーム３に嵌め込まれる左右のキャリアレンズ８には、それぞれルーペ９が装着されており、ＬＥＤライト５はルーペ９を通した術者の視線の先をスポット照明する。また、照明機器を使用者の身体に着用する他の例としては、使用者が頭部に被るヘッドバンドや帽子等がある。
【００２２】
収納ケース１のケース本体２０は箱体形状を有し、表側の面には、コントロールユニット２を収納したとき、スイッチ操作部である電源スイッチＳ１や光量増減スイッチＳ２、及びインジケータＩ１、Ｉ２、Ｉ３と対向する部分を透明または半透明の可撓性の素材で構成している。これにより、これらスイッチの使用者は、ケース本体２０の表面上から電源スイッチＳ１や光量増減スイッチＳ２を操作することができる共に、インジケータＩ１、Ｉ２、Ｉ３の点灯状態を視認することができる。
【００２３】
そして、ケース本体２０の上側平面には、ケーブル１１を通すための開口１８、下側平面には、充電ケーブル１２を引き出すための開口１９がそれぞれ形成されている。加えて、ケース本体２０の一方の側面は一辺のみが表側の面に連通して折り曲げられており、他の三辺は全て上下側の各平面及び裏側の面に対しては自由端で構成されている。よって、このケース側面は、ケース本体２０の開口部２５を開閉する蓋体２２となっており、コントロールユニット２をケース本体２０内に挿入し、蓋体２２の折込片２３をケース本体２０内に差し込むことでケース本体２０はコントロールユニット２を収納して保持する。または、折込片２３の裏面をケース本体２０の裏側面に被せて接着させる。この場合の接着には面ファスナーが用いられる。
【００２４】
ケース本体２０は、使用者が着用するときに使用する一対の肩紐２７を備えている。図３で示すように、肩紐２７の上端は、ケース本体２０にコントロールユニット２を収納したとき、そのスイッチ操作部と対向する面とは反対側の面、すなわち、背面２０Ａの上端部付近に縫着等により固着させている。そして、肩紐２７の下端は、背面２０Ａの下端部付近の左右両端部付近に固着させている。図３では、一対の肩紐２７をそれぞれ交差させずに平行させて背面２０Ａに取り付けているが、それぞれの肩紐２７がケース本体２０の上部の左右一方の端部からケース本体２０の下部の他方の端部に斜めに「Ｘ」字状にクロスさせて、取り付けてもよい。
【００２５】
使用者は、ケース本体２０を背負う形で又は身体の前面で抱える形で収納ケース１を着用して肩紐２７で固定するが、必要に応じて、ケース本体２０の背面の下端には一対のベルト紐２８を左右に設けて、ケース本体２０を着用してベルト紐２８を結ぶことでしっかりと保持できる。ベルト紐２８は、ケース本体２０の背面の下端の左右の一方に取り付けて、他方にはベルト紐２８の自由端を通して固定するバックルを備える構成でもよい。
【００２６】
図４は、コントロールユニット２を収納している収納ケース１を使用者３０の背中に装着した状態を示している。コントロールユニット２のケーブル１１は、開口１８を通して収納ケース１から引き出され、プラグ６を眼鏡フレーム３のプラグ６に差し込むことで、ＬＥＤライト５はコントロールユニット２と電気的に接続される。一方、充電ケーブル１２も開口１９を通して収納ケース１から引き出されるが、バッテリーの残量に応じて適宜、充電プラグ１３をＡＣアダプタ（充電器）１６接続することで充電される。したがって、このような収納ケース１を身体の前面で抱える形で着用すると、使用者自身でケース本体２０の上からコントロールユニット２のスイッチ操作部を操作できる利点がある。一方、図４で示すように、収納ケース１を背負う形で着用したときには、補助者によってスイッチ操作を行ってもらわなければならない不便性はあるものの、コントロールユニット２が手術を行う使用者の手の動きの邪魔にならず、その前面に完全なハンドフリーの空間を確保できるばかりか、医療手術のように使用者が前屈みの作業を行うような場合には、収納ケースが背中に密着するため安定して保持できる利点がある。しかも、使用者にとって機器を使用しながらの身体の前面での作業にケーブル１１や充電ケーブル１９が障害となることがなく、フリーな作業空間が実現される。さらに、医療手術に用いる場合、収納ケース１の清潔性を保てず背中側が不衛生となっても、患者及び使用者である術者にとっても衛生上の問題を生ずることがない。
【００２７】
収納ケース１のケース本体２０は、上記した箱体形状には限らず、図５に示す一般に「ビニール袋」と称される透明または半透明な軟質性プラスティックのバッグであってもよい。ビニール袋は、チャック２６によって密封される上部開口２９からケーブル１１が引き出され、その下部には充電ケーブル１２を引き出すための開口が形成されている。そして、一対の肩紐２７は、それぞれ接合部２８でケース本体２０の背面に固着されている。
【００２８】
図６は、ビニール袋のケース本体２０に肩紐２７を取り付ける他の例を示しており、予めそれぞれ環状に形成している一対の肩紐２７の一方を他方の環に通すことで「Ｘ」字状にクロスさせて、クロスさせた両方の肩紐２７の２通りの交差箇所のうちの、ケース本体２０の背面２０Ａに近い方の交差箇所を接合部２４として、この接合部２４で背面２０Ａの中央部分２４Ａと重ねて、ケース本体２０と両方の肩紐２７とを一か所で結合している。この場合に、一対の肩紐２７もケース本体２０と同じ素材で構成すれば、熱溶着により容易にケース本体２０と両方の肩紐２７とを結合できる。しかも、肩２７のケース本体２０への取付工程が簡略化される。
【００２９】
また、ケース本体２０にビニール袋を使用した収納ケース１は、軽量且つ可撓性を有して変形性が良いため、ビニール袋の上から電源スイッチＳ１や光量増減スイッチＳ２の操作も簡単に行える。また、ビニール袋は安価であることから使い捨てが利く。よって、医療用途で収納ケース１を使用する場合には、使用する都度その前に滅菌処理を施す必要があるが、使い捨ての利くビニール袋を使用すれば、そうした手間を省ける。
【００３０】
以上、使用者に着用される携帯機器としてはＬＥＤライトの例で説明したが、カメラの場合の例を説明する。図６は、ヘッドバンド３１に取り付けられた医療用カメラ３６を示しており、コントロールユニット３３は、上記で説明した箱体形状又はビニール袋で構成されるケース本体２０に収納されて、カールコード１１を通して接続される。本例では、ヘッドバンド３１にはカメラ３６と共にＬＥＤライト３２が一体にして取り付けられて、共にコントロールユニット３３から給電されて駆動する。そして、使用者は、収納ケース１を着用して肩紐２７で身体に固定する。
【００３１】
カメラ３６及びコントロールユニット３３にはＷｉＦｉ（無線ＬＡＮ）機能を搭載して、リモート撮影や画像転送を行ようにしている。加えて、コントロールユニット３３は、収納ケース１の表面からタッチパネル画面３４の操作により、カメラ３６のズームや焦点距離等の調整、及びＬＥＤライト３２のオン・オフや照度を指定可能に構成している。そして、コントロールユニット３３は、送られてきた画像を管理側のパーソナルコンピュータ３５に送信することで、カメラ３６をパーソナルコンピュータ３５に繋がずとも、収納ケース１を利用して使用者の背中を画像の中継ポイントとして撮像画像を送ることができる。
【００３２】
上記実施形態では肩紐２７を一対備える構成で説明したが、必ずしも一対に限定されるものではなく、１本の肩紐で着用者の一方の肩から他方の腰へ斜めに掛ける襷がけとしてもよい。
【００３３】
このように、本発明は上記実施形態に限定されるものではなく、本発明の趣旨に基づき種々の変形が可能であり、これらを本発明の範囲から排除するものではない。
【産業上の利用可能性】
【００３４】
本発明は、身体に装着される携帯機器に電源を供給するバッテリーを含むコントロールユニットを収納する収納ケースに関し、産業上の利用可能性を有する。
【符号の説明】
【００３５】
１      コントロールユニット収納ケース
２      コントロールユニット
５      ＬＥＤライト（携帯機器）
１１    ケーブル
１２    充電コード
１８    第１開口
１９    第２開口
２０    ケース本体
２７    肩紐
３３    コントロールユニット
３４    タッチパネル画面（スイッチ操作部）
３６    カメラ（携帯機器）
Ｓ１    電源スイッチ（スイッチ操作部）
Ｓ２    光量増減スイッチ（スイッチ操作部）
【要約】
【課題】作業者が身体に容易に着用するバッテリーを備えたコントロールユニット用の収納ケースを提供する。
【解決手段】使用者の身体に装着される携帯機器に電源を供給するバッテリーを含むコントロールユニット２を収納する収納ケースである。収納ケース１は、コントロールユニット２が収納されたとき、少なくともそのスイッチ操作部と重なる部分を透明または半透明の可撓性の素材により構成されるケース本体１０に肩紐２７を取り付けて成る。そして、ケース本体１０には、コントロールユニット２から前記携帯機器へ電力を供給するケーブル１１が引き出される第１開口１８と、前記バッテリーを充電する充電コード１２をコントロールユニット２に引き込む第２開口１９と、を設けている。
【選択図】図１【図１】
0005841687.tif 000002
【図２】
0005841687.tif 000003
【図３】
0005841687.tif 000004
【図４】
0005841687.tif 000005
【図５】
0005841687.tif 000006
【図６】
0005841687.tif 000007
【図７】
0005841687.tif 000008